(57)【要約】【課題】ゴルフボールを打撃するフェース面を備えるフェース部が補強板により補強されたものであっても、溶接またはろう付けなどの加熱を伴う接合方法により、フェース部を接合した場合でも、補強板自体の強度低下、およびフェース部と補強板との接合強度の低下が生じないゴルフクラブヘッドおよびゴルフクラブを提供する。【解決手段】本発明のゴルフクラブヘッドは、ゴルフボールを打撃するフェース面を備えるフェース部を有するフェース体と、このフェース部のフェース面の反対側の裏面に設けられ、フェース部よりも比重が小さい材料により構成される補強板と、フェース体の裏面側に設けられ、ソール部を構成するとともに補強板の少なくとも一部を取り囲んでフェース体に接合されたバック体とを有する。フェース体とバック体とは、補強板が設けられた位置よりも裏面側に離れた位置で接合されている。【選択図】図１
2008113816.tif 000002
【特許請求の範囲】
【請求項１】
ゴルフボールを打撃するフェース面を備えるフェース部を有するフェース体と、
前記フェース部の前記フェース面の反対側の裏面に設けられ、前記フェース部よりも比重が小さい材料により構成される補強板と、
前記フェース体の前記裏面側に設けられ、ソール部を構成するとともに、前記補強板の少なくとも一部を取り囲んで前記フェース体に接合された前記バック体とを有し、
前記フェース体と前記バック体とは、前記補強板が設けられた位置よりも前記裏面側に離れた位置で接合されていることを特徴とするゴルフクラブヘッド。
【請求項２】
前記フェース部と前記バック体とは、前記バック体の裏面で接合されている請求項１に記載のゴルフクラブヘッド。
【請求項３】
前記フェース部と前記バック体とは、前記バック体において、前記フェース体の外縁に沿って接合されている請求項１に記載のゴルフクラブヘッド。
【請求項４】
前記バック体は、前記補強板の全周を取り囲んで前記フェース体に接合されている請求項１〜３のいずれか１項に記載のゴルフクラブヘッド。
【請求項５】
前記補強板は、その面積が前記フェース面の面積の５０％以上である請求項１〜４のいずれか１項に記載のゴルフクラブヘッド。
【請求項６】
前記補強板は、炭素繊維強化プラスチックにより形成されている請求項１〜５のいずれか１項に記載のゴルフクラブヘッド。
【請求項７】
前記フェース部と前記バック体との接合は、レーザ溶接によりなされている請求項１〜６のいずれか１項に記載のゴルフクラブヘッド。
【請求項８】
前記補強板は、厚さが２．５ｍｍ以下である請求項１〜７のいずれか１項に記載のゴルフクラブヘッド。
【請求項９】
前記フェース部の厚さは、前記補強板よりも薄い請求項１〜８のいずれか１項に記載のゴルフクラブヘッド。
【請求項１０】
前記請求項１〜９のいずれか１項に記載のゴルフクラブヘッドを有することを特徴とするゴルフクラブ。
【発明の詳細な説明】
【技術分野】
【０００１】
本発明は、ゴルフボールを打撃するフェース面を備えるフェース部が補強板により補強されたゴルフクラブヘッド、およびこのゴルフクラブヘッドを有するゴルフクラブに関し、特に、重心が低いか、または慣性モーメントが大きく、さらには打感が良好なゴルフクラブヘッド、およびこのゴルフクラブヘッドを有するゴルフクラブに関する。
【背景技術】
【０００２】
現在、ゴルフボールを打撃するフェース面を備えるフェース部が補強板により補強されたゴルフクラブヘッドと、シャフトとからなるゴルフクラブがある。
このゴルフクラブは、フェース面が補強板により補強されているため、ゴルフクラブの強度を高くすることができる。また、フェース部の強度を維持したままフェース部の厚さを薄くすることができる。
このようなフェース部が補強板により補強されたゴルフクラブヘッドが種々提案されている（特許文献１参照）。
【０００３】
特許文献１には、図３（ａ）および（ｂ）に示すようなゴルフクラブヘッド１００が開示されている。
このゴルフクラブヘッド１００は、ヘッド本体１０２、フェース板１０６、強化板（補強板）１０８およびネック１１０を有するものである。このネック１１０はゴルフクラブシャフト（図示せず）とヘッド本体１０２とを結合するために設けられたものである。
ヘッド本体１０２にはフェース板結合部１０４が形成されており、このフェース板結合部１０４にフェース板１０６が結合されて、ヘッド本体１０２にフェース板１０６が接合される。このフェース板１０６は、例えば、嵌設、圧着、硬ろう付け、溶接、螺設などの方法により結合されるものである。また、このフェース板１０６は、ヘッド本体１０に直接形成することもできる。
【０００４】
強化板１０８は、平板状のものであり、この強化板１０８は、例えば、一体成形になるように直接フェース板１０６の裏面に結合されるものである。
強化板１０８は、例えば、カーボン、エポキシ樹脂、高分子化合物、ゴム、チタン合金、またはアルミニウム合金などにより形成することができる。また、図４に示すように、強化板１０８を、射出成形を用いて形成した場合、フェース板１０６の裏面に完全かつ緊密に結合することができる。
【０００５】
なお、強化板１０８によりフェース板１０６とヘッド本体１０２の境界に形成された結合端縁１１２を完全に被覆することにより、打球時において強化板１０８により結合端縁１１２の集中応力を吸収することができる。このため、結合端縁１１２が長期に渡って集中応力を受けた影響により亀裂の発生を避けることができるとともに、さらにフェース板１０６とゴルフクラブヘッド１００との結合を強化してゴルフクラブヘッド１００の使用寿命を延ばすことができる。
【０００６】
また、打球時において強化板１０８によりフェース板１０６に生じた振動を直接吸収することができる。
他に、強化板１０８はフェース板１０６を支持する機能を有し、これによりフェース板１０６の厚さを薄くすることができる。このため、フェース板１０６の推移（transition）性の弾性変形能力を高めることができ、さらにゴルフクラブヘッド１００の打球の性能（飛距離）を高めることができる。
【０００７】
【特許文献１】特開２００５−１３１２８０号公報
【発明の開示】
【発明が解決しようとする課題】
【０００８】
しかしながら、特許文献１に開示されたゴルフクラブヘッド１００において、フェース板１０６とヘッド本体１０２との接合部Ｗは、ヘッド本体１０２の表面であり、補強板１０８と接合部Ｗとの距離が近い。
このため、フェース板１０６を、溶接またはろう付けなどの加熱を伴う接合方法により接合した場合、補強板１０８が、エポキシ樹脂、または高分子化合物を含むものであれば、熱の影響により強度低下が生じる虞があるという問題点がある。さらには、熱の影響によりフェース板１０６と補強板１０８との接合強度が低下する虞もあるという問題点がある。
【０００９】
本発明の目的は、前記従来技術の問題点を解決することにあり、ゴルフボールを打撃するフェース面を備えるフェース部が補強板により補強されたものであっても、溶接またはろう付けなどの加熱を伴う接合方法により、フェース部を接合した場合でも、補強板自体の強度低下、およびフェース部と補強板との接合強度の低下が生じないゴルフクラブヘッドおよびゴルフクラブを提供することにある。
また、本発明の他の目的は、重心が低いか、または慣性モーメントが大きく、さらには打感が良好なゴルフクラブヘッドおよびゴルフクラブを提供することにある。
【課題を解決するための手段】
【００１０】
上記目的を達成するために、本発明の第１の態様は、ゴルフボールを打撃するフェース面を備えるフェース部を有するフェース体と、前記フェース部の前記フェース面の反対側の裏面に設けられ、前記フェース部よりも比重が小さい材料により構成される補強板と、前記フェース体の前記裏面側に設けられ、ソール部を構成するとともに、前記補強板の少なくとも一部を取り囲んで前記フェース体に接合された前記バック体とを有し、前記フェース体と前記バック体とは、前記補強板が設けられた位置よりも前記裏面側に離れた位置で接合されていることを特徴とするゴルフクラブヘッドを提供するものである。
【００１１】
本発明においては、前記フェース部と前記バック体とは、前記バック体の裏面で接合されていることが好ましい。
また、本発明においては、前記フェース部と前記バック体とは、前記バック体において、前記フェース体の外縁に沿って接合されていることが好ましい。
【００１２】
さらに、本発明においては、前記バック体は、前記補強板の全周を取り囲んで前記フェース体に接合されていることが好ましい。
【００１３】
さらにまた、本発明においては、前記補強板は、その面積が前記フェース面の面積の５０％以上であることが好ましい。
【００１４】
また、本発明においては、前記補強板は、炭素繊維強化プラスチックにより形成されているものであることが好ましい。
【００１５】
また、本発明においては、前記フェース部と前記バック体との接合は、レーザ溶接によりなされていることが好ましい。
【００１６】
また、本発明においては、前記補強板は、厚さが２．５ｍｍ以下であることが好ましい。
【００１７】
また、本発明においては、前記フェース部の厚さは、前記補強板よりも薄いことが好ましい。
【００１８】
また、本発明の第２の態様は、上記本発明の第１の態様のゴルフクラブヘッドを有することを特徴とするゴルフクラブを提供するものである。
【発明の効果】
【００１９】
本発明の第１の態様のゴルフクラブヘッドおよび本発明の第２の態様のゴルフクラブによれば、ゴルフボールを打撃するフェース面を備えるフェース部を有するフェース体と、このフェース部のフェース面の反対側の裏面に設けられ、フェース部よりも比重が小さい材料により構成される補強板と、フェース体の裏面側に設けられ、ソール部を構成するとともに、補強板の少なくとも一部を取り囲んでフェース体に接合されたバック体とを設け、フェース体とバック体とを補強板が設けられた位置よりも裏面側に離れた位置で接合する構成とすることにより、補強板と接合部との距離を大きくとることができる。これにより、溶接またはろう付けなどの加熱を伴う接合方法により、フェース体とバック体とを接合した場合でも、補強板に対する熱影響を小さくでき、補強板自体の強度低下がなく、さらにはフェース部と補強板との接合強度の低下もなく、全体の強度を高くできる。
【００２０】
上述の如く、本発明の第１の態様のゴルフクラブヘッドおよび本発明の第２の態様のゴルフクラブによれば、補強板自体の強度低下がなく、さらにはフェース部と補強板との接合強度も低下することがないため、フェース部の厚さを薄くすることができ、薄くした分のフェース部の質量を、例えば、ソール部に配分することができる。これにより、重心を低くすることができ、打出し角度を大きく、スピン量を少なくできる。
また、薄くした分のフェース部の質量を、ソール部のトウおよびヒールに配分することにより、ゴルフクラブヘッドの重心を通りソール面に垂直な直線を回転軸とする回転軸回りの慣性モーメント（以下、慣性モーメントという）を大きくすることができ、打球の方向安定性を高くすることができる。
さらに、補強板により補強しているため、フェース部の強度を高くすることができ、良好な打感が得られる。
【発明を実施するための最良の形態】
【００２１】
以下に、添付の図面に示す好適実施形態に基づいて、本発明のゴルフクラブヘッド、およびゴルフクラブを詳細に説明する。
図１（ａ）は、本発明の第１の実施形態に係るゴルフクラブを示す模式的側断面図であり、（ｂ）は、図１（ａ）の正面図であり、（ｃ）は、図１（ｂ）のＡ−Ａ線による断面図である。なお、図１（ａ）においては、ソケット３０およびゴルフクラブシャフト３２の図示を省略している。また、図１（ｃ）においては、図示を簡略化している。
【００２２】
図１（ｂ）に示すように、ゴルフクラブ１０は、ゴルフクラブヘッド１２と、ソケット３０と、ゴルフクラブシャフト３２と、グリップ（図示せず）とを有するものである。
【００２３】
また、図１（ａ）に示すように、ゴルフクラブヘッド１２は、一般的にアイアンと呼ばれる種類のヘッドである。ゴルフクラブヘッド１２は、フェース体１４、補強板２０およびバック体２２を有するものである。
【００２４】
フェース体１４は、フェース部１５と、このフェース部１５の外縁を折り返して形成された折曲部１８ａ、１８ｂとを有する。
フェース部１５は、その表面がゴルフボールを打撃するフェース面１５ａとなるものである。
なお、フェース面１５ａは、所定のロフト角度に設定されている。このロフト角度は、２０°以上であることが好ましく、さらに好ましくは２５°以上である。
また、折曲部１８ａ、１８ｂは、フェース面１５ａの反対側に折り曲げられている。
【００２５】
フェース体１４において、フェース部１５のヒール側に一体的にホーゼル部１６が形成されている。このホーゼル部１６は、ゴルフクラブシャフト３２をゴルフクラブヘッド１２に固定するものである。
このホーゼル部１６には、ゴルフクラブシャフト３２が挿入される開口部（図示せず）が設けられている。
本実施形態のゴルフクラブ１０においては、ゴルフクラブシャフト３２がソケット３０を介してゴルフクラブヘッド１２のホーゼル部１６に取り付けられている。また、ゴルフクラブシャフト３２は、ゴルフクラブヘッド１２が取り付けられる反対側にグリップ（図示せず）が取り付けられている。
【００２６】
なお、ゴルフクラブシャフト３２は、ゴルフクラブヘッド１２に必ずしもソケット３０を介して固定される必要はなく、ゴルフクラブによっては、ソケットがなく、ゴルフクラブヘッドに直接ゴルフクラブシャフトが固定されるものもある。
【００２７】
本実施形態において、フェース部１５のフェース面１５ａには、ヒールからトウ方向に延びたスコアラインＬが平行に複数形成されている。
【００２８】
また、本実施形態においては、例えば、ゴルフボールを打撃するフェース面１５ａを備えるフェース部１５を有するフェース体１４が、例えば、最大引張強度が６００ＭＰａ以上の高強度アルミニウム合金により形成されている。この高強度アルミニウム合金は、溶融した合金を急冷凝固させる急冷凝固法により得ることができる。具体的には、高強度アルミニウム合金は、主元素をＡｌとし、所定の添加元素を含む合金組成を有する溶融金属を急冷することにより、非晶質相、非晶質と微細結晶質の混合相あるいは微細結晶質相に調整することによって得ることができ、この高強度アルミニウム合金は、高強度と超塑性を有する。例えば、溶融金属をガスアトマイズ法によって急冷凝固粉末を作製し、この粉末を押し出し固化して、高強度アルミニウム合金の板材等の部材を製造することができる。この高強度アルミニウム合金としては、例えば、特許３２０５４９５号明細書において規定された組成を有する合金が挙げられる。また、日本軽金属株式会社製、ＭＥＳＯ−１０（Ａｌ−９．５Ｚｎ−３Ｍｇ−１．５Ｃｕ−０．０４Ａｇ）が挙げられる。
なお、フェース体１４を構成するものは、高強度アルミニウム合金に限定されるものではなく、比強度が高く、かつゴルフボールの打撃による衝撃に耐えうる強度を有するものであれば、特に限定されるものではない。
【００２９】
補強板２０は、フェース部１５を補強するものであり、フェース部１５の裏面１５ｂに密着して、例えば、接着により、フェース部１５に一体的に貼付けられている。
この補強板２０は、フェース部１５を構成する材料よりも比重が低い材料により構成されている。
【００３０】
本実施形態において、補強板２０としては、例えば、ＣＦＲＰ（炭素繊維強化プラスチック）などの繊維強化複合材料を用いることができる。
また、補強板２０において、強化繊維としては、炭素繊維以外にも、例えば、ボロン繊維、ガラス繊維、アルミナ繊維、炭化珪素繊維、および窒化珪素繊維などの無機繊維、アラミド繊維、ポリアリレ−ト繊維、ポリエチレン繊維、およびポリエステル繊維などの有機繊維、またはチタン繊維、アモルファス繊維、およびステンレス鋼繊維などの金属繊維が例示される。また、強化繊維としては、先の例示したものの中から、複数種を選択し、それを強化繊維として用いてもよい。また、強化繊維の配向については、特に限定されるものではく、一方向に整列して配置するか、またはクロス（織布）の状態で使用してもよい。更に、これらの強化繊維またはクロスが１または複数（層）重ねて設けられたものであってもよい。
【００３１】
また、マトリクス樹脂としては、エポキシ樹脂、不飽和ポリエステル樹脂、ポリウレタン樹脂、ジアリルフタレート樹脂、およびフェノール樹脂などの熱硬化性マトリクス樹脂が例示される。
【００３２】
なお、マトリクス樹脂としては、エポキシ樹脂が好ましい。このマトリクス樹脂としては、例えば、グリシジルエーテル系エポキシ樹脂（ビスフェノールＡ、Ｆ、Ｓ系エポキシ樹脂、ノボラック系エポキシ樹脂、臭素化ビスフェノールＡ系エポキシ樹脂）、環式脂肪族エポキシ樹脂、グリシジルエステル系エポキシ樹脂、テトラグリシジルジアミノジフェニルメタンまたはトリグリシジル−ｐ−アミノフェノールなどのグリシジルアミン系エポキシ樹脂、および複素環式エポキシ樹脂が例示される。さらに、マトリクス樹脂としては、これらの他種々のエポキシ樹脂から選択される１種又は複数種を使用することもできる。本実施形態におけるマトリクス樹脂としては、特に、ビスフェノールＡ、Ｆ、Ｓグリシジルアミン系エポキシ樹脂が好適である。
【００３３】
また、硬化剤としては、アミン系硬化剤、例えば、ジシアンジアミド（ＤＩＣＹ）、ジアミノジフェニルスルフォン（ＤＤＳ）、ジアミノジフェニルメタン（ＤＤＭ）；酸無水物系、例えばヘキサヒドロ無水フタル酸（ＨＨＰＡ）、メチルヘキサヒドロ無水フタル酸（ＭＨＨＰＡ）などが例示される。硬化剤としては、特に、アミン系硬化剤を好適に使用することができる。
【００３４】
なお、プリプレグ強化繊維としては、例えば、東レ社製のＰ３２５１Ｓ−１５（商品名）  ＵＤプリプレグ、または東レ社製のＦ６３４３Ｂ−０５Ｐ（商品名）  クロスプリプレグなど、予め、強化繊維にマトリクス樹脂が含浸された製品を用いてもよい。
【００３５】
なお、接着剤としては、プリプレグのマトリクス樹脂との相溶性の高いものを使用することが好ましい。例えば、ヘンケル社製の９４３２ＮＡ（商品名）、Ｅ６０ＨＰ（商品名）、Ｅ３０ＨＰ（商品名）が例示される。なお、接着剤の接着層の厚さは、０．０３〜１．０ｍｍとすることが好ましい。
【００３６】
さらに、本発明のゴルフクラブヘッド１０におけるフェース部１５の裏面１５ｂに樹脂フィルムを設け、この樹脂フィルムによって、金属層と強化繊維プリプレグとを接合してもよい。
【００３７】
また、樹脂フィルムとしては、例えば、ポリウレタン樹脂、ナイロン樹脂、変性ナイロン樹脂、ポリエチレンテレフタレート樹脂、ポリ塩化ビニル樹脂、ポリカーボネート樹脂、ポリ塩化ビニリデン樹脂、エチルセルロース樹脂、および酢酸セルロース樹脂などの熱可塑性樹脂フィルムが例示される。
【００３８】
なお、この樹脂フィルムは、プリプレグのマトリクス樹脂との相溶性の高いものを使用することが好ましい。例えば、マトリクス樹脂にエポキシ系樹脂などを使用した場合には、樹脂フィルムとしては、ポリウレタン樹脂、変性ナイロン樹脂フィルムなどが好適である。この樹脂フィルムの厚さは、０．０３〜１．０ｍｍとすることが好ましい。
【００３９】
また、補強板２０は、その面積（大きさ）がフェース面１５ａの面積の５０％以上であることが好ましい。補強板２０の面積（大きさ）をフェース面１５ａの面積の５０％以上とすることにより、フェース部１５の補強を容易にすることができる。
【００４０】
さらに、補強板２０は、フェース部１５のフェース面１５ａの中心領域の裏面１５ｂを覆う（カバーする）ように設けられていることが好ましい。すなわち、フェース部１５のフェース面１５ａの中心領域の裏面１５ｂに補強板２０が位置するように設けられていることが好ましい。このフェース面１５ａの中心領域とは、通常、ゴルフボールを打撃する領域のことであり、ミスショットにより打撃される打撃領域ではない。補強板２０をフェース部１５のフェース面１５ａの中心領域の裏面１５ｂに補強板２０が位置するように設けることにより、フェース部１５の補強を更に効率良く容易にすることができる。
【００４１】
また、フェース部１５の厚さｔは、質量マージンを多くとるために、２．５ｍｍ以下であることが好ましい。さらには、フェース部１５の厚さｔは、補強板２０の厚さよりも薄いことが好ましい。
【００４２】
バック体２２は、フェース体１４のフェース部１５の裏面１５ｂ側に設けられるものであり、ソール部２６を構成するものである。このバック体２２は、トップ部２４とソール部２６とを有する。
バック体２２は、補強板２０の周囲の少なくとも一部を取り囲んで、フェース体１４に接合されるものである。バック体２２が、フェース部１５の裏面１５ｂ側から上側（トップ側）の折曲部１８ａと下側（ソール側）の折曲部１８ｂとの間に嵌め込まれている。
本実施形態においては、バック体２２のトップ部２４およびソール部２６により、補強板２０の外縁部２０ａが全周に亘り取り囲まれている。
また、本実施形態において、フェース体１４のフェース部１５の折曲部１８ａ、１８ｂの端部とバック体２２の裏面２２ａとの境界で接合されており、接合部Ｗが形成されている。
このように、本実施形態においては、補強板２０が設けられた裏面１５ｂよりも裏面１５ｂ側に離れた位置に、接合部Ｗが形成されておりバック体２２の裏面２２ａで接合されている。この接合部Ｗは、補強板２０およびフェース部１５の裏面１５ｂから十分距離がある位置に形成されている。
【００４３】
また、ゴルフクラブヘッド１２においては、フェース体２２とバック体２２とは、溶接またはろう付けにより接合されている。接合部Ｗは、溶接の場合にはビードである。なお、フェース体２２とバック体２２とは、熱影響部が小さいレーザ溶接により接合されることが好ましい。
【００４４】
本実施形態において、ソール部２６は、フェース部１５よりも比重が大きな材料で構成されることが好ましい。
【００４５】
本実施形態のゴルフクラブ１０においては、ゴルフクラブヘッド１２について、フェース体２２とバック体２２との接合部Ｗをフェース部１５の折曲部１８ａ、１８ｂの端部（バック体２２の裏面２２ａ）とすることにより、補強板２０から接合部Ｗの距離を大きくすることができる。このため、溶接またはろう付けによる熱の補強板２０に対する影響を小さくでき、フェース部１５の裏面１５ｂに補強板２０が接着により接合されている場合には、接合（接着）強度が低下することがない。また、溶接またはろう付けによる熱の補強板２０に対する影響を小さくできるため、補強板２０がＣＦＲＰなどの樹脂材料を含むものである場合でも、補強板２０自体の強度低下を抑制することができる。このように、本実施形態のゴルフクラブ１０（ゴルフクラブヘッド１２）においては、補強板２０の接合強度低下および補強板２０自体の強度低下を抑制し、全体の強度を高くできる。
【００４６】
また、本実施形態のゴルフクラブ１０のゴルフクラブヘッド１２においては、補強板２０を設けることにより、フェース部１５の厚さを薄くすることができ、その薄くした分の質量を、ソール部２６に配分することができる。このため、低重心化することができ、打出し角度を大きく、スピン量を少なくできる。
さらに、薄くした分のフェース部の質量を、ソール部のトウおよびヒールに配分することにより、慣性モーメントを大きくすることができ、打球の方向安定性を高くすることができる。
また、補強板２０により、フェース部１５の強度を高くすることができるため、打感を向上させることができる。
【００４７】
次に、本発明の第２実施形態のゴルフクラブ（ゴルフクラブヘッド）について説明する。
図２（ａ）は、本発明の第２の実施形態に係るゴルフクラブを示す模式的側断面図であり、（ｂ）は、図２（ａ）の正面図であり、（ｃ）は、図２（ｂ）のＢ−Ｂ線による断面図である。なお、図２（ａ）においては、ソケット３０およびゴルフクラブシャフト３２の図示を省略している。また、図２（ｃ）は、図示を簡略化している。
また、本実施形態においては、図１（ａ）〜図１（ｃ）に示す第１実施形態のゴルフクラブ１０と同一構成物には、同一符号を付して、その詳細な説明は省略する。
【００４８】
図２（ａ）に示すように、本実施形態のゴルフクラブ４０（ゴルフクラブヘッド４２）は、第１実施形態のゴルフクラブ１０（図１（ａ）参照）に比して、フェース部１５の折曲部４４ａ、４４ｂの構成、バック体５０の構成、および接合部Ｗの位置が異なり、それ以外の構成は、第１実施形態のゴルフクラブ１０と同様の構成であるため、その詳細な説明は省略する。
【００４９】
本実施形態のゴルフクラブ４０のゴルフクラブヘッド４２においては、フェース部１５の折曲部４４ａ、４４ｂの長さが短い。また、折曲部４４ｂは、段差部４６が形成されている。
バック体５０も、フェース体４４のフェース部１５の裏面１５ｂ側に設けられるものであり、トップ部５２とソール部５４とを有するものである。トップ部５２には、段差部５２ａが形成されており、この段差部５２ａとフェース部１５の折曲部４４ａの端部とが合わさっている。また、ソール部５４に凸部５６が形成されており、この凸部５６がフェース部１５の段差部４６の合わさっている。
本実施形態においては、フェース体４４とバック体５０とがフェース体４４の外縁４２ａに沿って接合されており、接合部Ｗがフェース体４４の外周に沿って形成されている。
【００５０】
本実施形態においても、接合部Ｗをフェース体４４の外周に沿うものとし、接合部Ｗの位置を補強板２０およびフェース部１５の裏面１５ｂから距離が離れた位置にできる。このため、第１実施形態と同様に、溶接またはろう付けの際に生じる熱の補強板２０に対する影響を小さくでき、フェース部１５の裏面１５ｂに補強板２０が接着により接合されている場合でも、接合（接着）強度が低下することがない。また、溶接の際に生じる熱の補強板２０に対する影響を小さくできるため、補強板２０がＣＦＲＰなどの樹脂材料を含むものである場合でも、補強板２０自体の強度低下を抑制することができる。このように、本実施形態のゴルフクラブ４０（ゴルフクラブヘッド４２）においては、補強板２０の接合強度低下および補強板２０自体の強度低下を抑制し、全体の強度を高くできる。
【００５１】
また、本実施形態のゴルフクラブ４０のゴルフクラブヘッド４２においても、第１の実施形態のゴルフクラブ１０のゴルフクラブヘッド１２と同様に、補強板２０を設けることにより、フェース部１５の厚さを薄くすることができ、低重心化することができ、打出し角度を大きく、スピン量を少なくできる。また、慣性モーメントを大きくすることができ、打球の方向安定性を高くすることができる。さらには、補強板２０により、フェース部１５の強度を高くすることができるため、打感を向上させることもできる。
【００５２】
なお、本発明においては、ゴルフクラブヘッドにおけるフェース体とバック体との接合位置は、補強板が設けられた位置よりもフェース部の裏面側に離れ、補強板およびフェース部の裏面から距離が離れた位置であれば、本発明の溶接またはろう付けによる熱の補強板に対する影響を小さくでき、補強板の接合（接着）強度が低下することがなく、さらには補強板自体の強度低下を抑制できるという効果を得ることができ、第１の実施形態のゴルフクラブヘッドの構成および第２の実施形態のゴルフクラブヘッドの構成に、特に限定されるものではない。
【００５３】
以上、本発明のゴルフクラブヘッド、およびゴルフクラブについて説明したが、本発明は上述の実施形態に限定はされず、本発明の要旨を逸脱しない範囲において、各種の改良または変更を行ってもよいのは、もちろんである。
【図面の簡単な説明】
【００５４】
【図１】（ａ）は、本発明の第１の実施形態に係るゴルフクラブを示す模式的側断面図であり、（ｂ）は、図１（ａ）の正面図であり、（ｃ）は、図１（ｂ）のＡ−Ａ線による断面図である。
【図２】（ａ）は、本発明の第２の実施形態に係るゴルフクラブを示す模式的側断面図であり、（ｂ）は、図２（ａ）の正面図であり、（ｃ）は、図２（ｂ）のＢ−Ｂ線による断面図である。
【図３】（ａ）は、従来のゴルフクラブヘッドを示す模式的斜視図であり、（ｂ）は、図３（ａ）の模式的側断面図である。
【図４】図３（ｂ）に示す領域αの拡大図である。
【符号の説明】
【００５５】
１０、４０  ゴルフクラブ
１２、４２、１００  ゴルフクラブヘッド
１４、４４  フェース体
１５  フェース部
１５ａ  フェース面
１５ｂ  裏面
１６  ホーゼル部
１８ａ、１８ｂ、４４ａ、４４ｂ  折曲部
２０  補強板
２２、５０  バック体
３０  ソケット
３２  ゴルフクラブシャフト
Ｗ  接合部
【図１】
2008113816.tif 000003
【図２】
2008113816.tif 000004
【図３】
2008113816.tif 000005
【図４】
2008113816.tif 000006